(57)【要約】【課題】ファイルを識別する表示が不用意に変わるのを防止できると共に、表示を簡単に変更できるダイヤル式表示具及びこれを用いたファイルの提供を課題とする。【解決手段】複数の識別用表示が設けられた円盤状の固定部材１９と、固定部材１９に回転自在に取り付けられ、複数の識別用表示を覆うと共に、識別用表示の何れかを外部に表示する表示窓３５を有する回転部材２０とを備えている。固定部材１９及び回転部材２０は、表示窓３５が識別用表示上に配置された状態で回転部材２０を所定の留置力で留置する留置手段を構成する留置用凹部２２及び留置用凸部３３を備えている。【選択図】図２
2008096711.tif 000002
【特許請求の範囲】
【請求項１】
ファイルを識別するためのダイヤル式表示具であって、
前記ファイルに取り付けられ円周上に複数の識別用表示が設けられた円盤状の固定部材と、前記固定部材に回転自在に取り付けられ、前記複数の識別用表示を覆うと共に、前記識別用表示の何れかを外部に表示する表示窓を有する回転部材とを備え、
前記固定部材及び前記回転部材は、前記表示窓が前記識別用表示上に配置された状態で、前記回転部材を所定の留置力で留置する留置手段、
を備えていることを特徴とするダイヤル式表示具。
【請求項２】
前記表示窓が前記識別用表示上に配置された状態で、前記回転部材の回転をロックすると共に、前記回転部材を前記固定部材から離間する方向に移動させることによりロック解除されるロック手段、を備えていることを特徴とする請求項１に記載のダイヤル式表示具。
【請求項３】
ファイルを識別するためのダイヤル式表示具であって、
前記ファイルに取り付けられ円周上に複数の識別用表示が設けられた円盤状の固定部材と、前記固定部材に回転自在に取り付けられ、前記複数の識別用表示を覆うと共に、前記識別用表示の何れかを外部に表示する表示窓を有する回転部材とを備え、
前記固定部材及び前記回転部材は、前記表示窓が前記識別用表示上に配置された状態で、前記回転部材の回転をロックすると共に、前記回転部材を前記固定部材から離間する方向に移動させることによりロック解除されるロック手段、
を備えていることを特徴とするダイヤル式表示具。
【請求項４】
前記固定部材は円盤状に形成され、前記回転部材は前記固定部材の前記識別用表示が設けられた平坦面、及び外周側面を覆う断面コ字状に形成されていることを特徴とする請求項１から３の何れかに記載のダイヤル式表示具。
【請求項５】
前記留置手段は、前記固定部材の外周側面に設けられた断面略円弧状の留置用凹部と、前記回転部材の側壁部における内周側面に設けられ、前記留置用凹部に挿入可能な断面湾曲形状の留置用凸部とを有し、前記回転部材に前記留置力以上の回転力を加えることにより、前記留置用凸部が前記留置用凹部から抜け出ることを特徴とする請求項１または２に記載のダイヤル式表示具。
【請求項６】
前記ロック手段は、前記固定部材の外周側面に設けられたロック用凹部と、前記回転部材の前記側壁部における前記内周側面から内側に突出し、前記ロック用凹部に挿入可能なロック用凸部とを有し、
前記回転部材が前記留置手段によって留置されている状態で、前記ロック用凹部に前記ロック用凸部が挿入されて前記回転部材の回転がロックされ、前記回転部材が前記固定部材から離間する方向に移動することにより、前記ロック用凸部が前記ロック用凹部から抜け出て、前記回転部材のロックが解除されることを特徴とする請求項２に記載のダイヤル式表示具。
【請求項７】
前記回転部材が前記固定部材から離間する方向に移動した際に、前記回転部材が前記固定部材から脱落するのを防止する脱落防止手段を有することを特徴とする請求項１から６の何れかに記載のダイヤル式表示具。
【請求項８】
前記脱落防止手段は、前記固定部材の前記外周側面より突出する係止用凸部と、前記回転部材の内周側面の先端側で内側に突出する脱落防止用凸部とを有し、
前記回転部材が前記固定部材から離間する方向に移動した際に、前記脱落防止用凸部が
前記係止用凸部に係止されて、前記回転部材が前記固定部材から脱落するのを防止することを特徴とする請求項７に記載のダイヤル式表示具。
【請求項９】
前記脱落防止用凸部は、前記留置用凸部と兼用されることを特徴とする請求項８に記載のダイヤル式表示具。
【請求項１０】
前記回転部材の全面又は一部が所定の色に着色されていることを特徴とする請求項１から９の何れかに記載のダイヤル式表示具。
【請求項１１】
前記固定部材には、前記脱落防止用凸部が通過可能な凹部が設けられていることを特徴とする請求項１０に記載のダイヤル式表示具。
【請求項１２】
ダイヤル式表示具によって識別されるファイルであって、
前記ダイヤル式表示具は、
前記ファイルに取り付けられ円周上に複数の識別用表示が設けられた円盤状の固定部材と、前記固定部材に回転自在に取り付けられ、前記複数の識別用表示を覆うと共に、前記識別用表示の何れかを外部に表示する表示窓を有する回転部材とを備え、
前記固定部材及び前記回転部材は、前記表示窓が前記識別用表示上に配置された状態で前記回転部材を所定の留置力で留置する留置手段と、
前記表示窓が前記識別用表示上に配置されている状態で、前記回転部材の回転をロックすると共に、前記回転部材を前記固定部材から離間する方向に移動させることによりロック解除されるロック手段と、
を備えていることを特徴とするダイヤル式表示具を用いたファイル。
【発明の詳細な説明】
【技術分野】
【０００１】
本発明は、ファイルを識別するダイヤル式表示具及びこれを用いたファイルに関する。
【背景技術】
【０００２】
従来、ファイルを識別するダイヤル式表示具が提案されている（例えば、特許文献１，２参照。）。
【０００３】
特許文献１の回転シグナル付きフォルダーは、図１５に示すように、フォルダー１００の表表紙１０１ａ又は裏表紙１０１ｂの側端部に取り付けられる二枚折りのタブ１０２と、このタブ１０２内に鋲１０６を中心として回転自在に挿入された薄い円板１０７とを有している。
【０００４】
円板１０７には、放射状の色帯、同心円上に配置された各種図形の着色部、或いは数字記号などの表示部が設けられている。また、タブ１０２には、表示部を外部に表示する表示窓１０５が設けられている。
【０００５】
この回転シグナル付きフォルダーは、円板１０７を回転させることにより、表示窓１０５から表示される表示内容が変わる。フォルダーが複数ある場合には、表示窓１０５から表示される表示内容を互いに変えることにより、フォルダーを識別できる。
【０００６】
また、特許文献２に記載の表紙は、図１６に示すように、断面コ字状に形成された表紙本体１１０と、その背表紙１１１側と裏表紙１１２側に連続し、背表紙１１１と裏表紙１１２の折り目部分で折り曲げられ、軸１１７を中心として回転可能な表示板１１６とを有している。
【０００７】
表示板１１６には、複数の表示部１６１が設けられている。この表示板１１６は、表紙本体１１０に貼り付けられた見出し用のカバー１２４によって覆われている。カバー１２４には、表示板１１６の表示部１６１を表示するための窓１１５が設けられている。
【０００８】
窓１１５から表示される表示部１６１の変更は、裏表紙１１２を開き、切り欠き１１４から操作して表示板１１６を回転させることにより行う。裏表紙１１２が閉じられている場合には、表示板１１６が折り曲げられているので、表示板１１６が不用意に回転するのを防止できる。
【特許文献１】実公昭４０−３０１６５号公報
【特許文献２】実公昭５９−２８８６０号公報
【発明の開示】
【発明が解決しようとする課題】
【０００９】
しかしながら、従来の特許文献１に記載の回転シグナル付きフォルダーは、円板１０７が不用意に回転して、表示が変わってしまうおそれがあった。
【００１０】
また、特許文献２に記載の表紙は、裏表紙１１２を開いたときに、表示板１１６が不用意に回転してしまうおそれがあった。また、表示を変えるために表示板１１６を回転させるためには、裏表紙１１２を開く必要があり、作業が面倒になるという問題があった。
【００１１】
本発明は、このような問題に鑑みなされたもので、ファイルを識別するための表示が不用意に変わるのを防止できると共に、必要な場合は表示を簡単に変更できるダイヤル式表
示具及びこれを用いたファイルの提供を課題とする。
【課題を解決するための手段】
【００１２】
本発明は、前記課題を解決するため、以下の手段を採用した。
すなわち、本発明は、
ファイルを識別するためのダイヤル式表示具であって、
前記ファイルに取り付けられ円周上に複数の識別用表示が設けられた円盤状の固定部材と、前記固定部材に回転自在に取り付けられ、前記複数の識別用表示を覆うと共に、前記識別用表示の何れかを外部に表示する表示窓を有する回転部材とを備え、
前記固定部材及び前記回転部材は、前記表示窓が前記識別用表示上に配置された状態で、前記回転部材を所定の力で留置する留置手段、
を備えている。
【００１３】
本発明では、固定部材の識別用表示が回転部材の表示窓から表示されている状態で、回転部材が所定の留置力を有する留置手段で留置される。従って、回転部材が不用意に回転するのを抑制して、識別用表示が不用意に変わるのを抑制できる。
【００１４】
ここで、前記表示窓が前記識別用表示上に配置された状態で、前記回転部材の回転をロックすると共に、前記回転部材を前記固定部材から離間する方向に移動させることによりロック解除されるロック手段、を備えることができる。
【００１５】
この構成により、留置手段とロック手段との両方で、回転部材が不用意に回転するのを抑制して、識別用表示が不用意に変わるのを確実に防止できる。
【００１６】
また、表示窓から表示されている識別用表示を変える場合には、ロック手段によるロックを解除し、回転部材に留置手段の留置力以上の回転力を加えることにより、回転部材を回転させて、表示窓から表示される識別用表示を簡単に変えることができる。
【００１７】
また、本発明は、
ファイルを識別するためのダイヤル式表示具であって、
前記ファイルに取り付けられ円周上に複数の識別用表示が設けられた円盤状の固定部材と、前記固定部材に回転自在に取り付けられ、前記複数の識別用表示を覆うと共に、前記識別用表示の何れかを外部に表示する表示窓を有する回転部材とを備え、
前記固定部材及び前記回転部材は、前記表示窓が前記識別用表示上に配置されている状態で、前記回転部材の回転をロックすると共に、前記回転部材を前記固定部材から離間する方向に移動させることによりロック解除されるロック手段、
を備えている。
【００１８】
本発明では、固定部材の識別用表示が回転部材の表示窓から表示されている状態で、回転部材の回転がロック手段によって確実にロックされる。従って、回転部材が不用意に回転するのを防止して、識別用表示が不用意に変わるのを防止できる。
【００１９】
また、前記固定部材は円盤状に形成され、前記回転部材は前記固定部材の前記識別用表示が設けられた平坦面、及び外周側面を覆う断面コ字状に形成されている構成にできる。
【００２０】
また、前記留置手段は、前記固定部材の外周側面に設けられた断面略円弧状の留置用凹部と、前記回転部材の側壁部における内周側面に設けられ、前記留置用凹部に挿入可能な断面湾曲形状の留置用凸部とを有し、前記回転部材に前記留置力以上の回転力を加えることにより、前記留置用凸部が前記留置用凹部から抜け出るように構成できる。
【００２１】
また、前記ロック手段は、前記固定部材の外周側面に設けられたロック用凹部と、前記回転部材の前記側壁部における前記内周側面から内側に突出し、前記ロック用凹部に挿入可能なロック用凸部とを有し、
前記回転部材が前記留置手段によって留置されている状態で、前記ロック用凹部に前記ロック用凸部が挿入されて前記回転部材の回転がロックされ、前記回転部材が前記固定部材から離間する方向に移動することにより、前記ロック用凸部が前記ロック用凹部から抜け出て、前記回転部材のロックが解除されるように構成できる。
【００２２】
また、前記回転部材が前記固定部材から離間する方向に移動した際に、前記回転部材が前記固定部材から脱落するのを防止する脱落防止手段を有する構成にできる。
【００２３】
また、前記脱落防止手段は、前記固定部材の前記外周側面より突出する係止用凸部と、前記回転部材の内周側面の先端側で内側に突出する脱落防止用凸部とを有し、
前記回転部材が前記固定部材から離間する方向に移動した際に、前記脱落防止用凸部が前記係止用凸部に係止されて、前記回転部材が前記固定部材から脱落するのを防止するように構成できる。
【００２４】
また、前記脱落防止用凸部は、前記留置用凸部と兼用されている構成にできる。この場合は、構成を簡略化して小型化できる。
【００２５】
また、前記回転部材の全面又は一部が所定の色に着色されている構成にできる。
この場合は、複数のファイルを識別する際に、回転部材の色を互いに変えることにより、回転部材の色と、表示窓から表示される識別用表示との組み合わせで、多数のファイルを識別できる。
【００２６】
また、前記固定部材には、前記留置用凸部が通過可能な凹部を設けることができる。
この場合は、留置用凸部を凹部から抜き出すことにより、回転部材を固定部材から取り外すことができる。例えば、回転部材を異なる色の回転部材と交換することにより、更に多数のファイルを区別できる。
【００２７】
また、本発明は、
ダイヤル式表示具によって識別されるファイルであって、
前記ダイヤル式表示具は、
前記ファイルに取り付けられ円周上に複数の識別用表示が設けられた円盤状の固定部材と、前記固定部材に回転自在に取り付けられ、前記複数の識別用表示を覆うと共に、前記識別用表示の何れかを外部に表示する表示窓を有する回転部材とを備え、
前記固定部材及び前記回転部材は、前記表示窓が前記識別用表示上に配置された状態で、前記回転部材を所定の留置力で留置する留置手段と、
前記表示窓が前記識別用表示上に配置された状態で、前記回転部材の回転をロックすると共に、前記回転部材を前記固定部材から離間する方向に移動させることによりロック解除されるロック手段と、
を備えていることを特徴とする。
【００２８】
本発明では、複数のファイルをダイヤル式表示具の識別用表示によって簡単に区別できる。
【発明の効果】
【００２９】
本発明によれば、固定部材の識別用表示が回転部材の表示窓から表示されている状態で、回転部材の回転が留置手段によって所定の留置力で留置されると共に、ロック手段によって確実にロックされるので、識別用表示が不用意に変わるのを防止できる。
【００３０】
また、表示窓から表示されている識別用表示を変更する場合には、ロックを解除し、回転部材に留置力以上の回転力を加えることにより回転させることができるので、表示窓から表示される識別用表示を簡単に変更できる。
【発明を実施するための最良の形態】
【００３１】
以下、本発明の実施の形態を添付した図１から図１４に基づいて詳細に説明する。
図１は、本発明に係るダイヤル式表示具を有するファイル１を示す。このファイル１は、ファイル本体１１と、ファイル１を識別するダイヤル式表示具１２とを有している。
【００３２】
ファイル本体１１は断面略コ字状に形成され、長方形の表表紙１３及び裏表紙１４と、表表紙１３と裏表紙１４の一側端を連結する背表紙１５とを有している。裏表紙１４には、表表紙１３と裏表紙１４間に挟まれた書類などを綴じる綴じ具（図示せず）が設けられている。
【００３３】
本実施形態では、ダイヤル式表示具１２が背表紙１４の外面における上部側に設けられているが、図１中に二点鎖線で示すように、背表紙１５の下部側、又は背表紙１５の中央など、任意の位置に設けることができる。
【００３４】
このダイヤル式表示具１２は、図２に示すように、ファイル本体１１の背表紙１５に固定される固定部材１９と、固定部材１９に対して回転可能に取り付けられた回転部材２０とを有している。
【００３５】
固定部材１９は、比較的薄型の円盤状に形成されている。本実施形態では、固定部材１９は、一端が開口された薄型の円形容器状に形成されている。この固定部材１９は、円板状の平板部２５と、この平板部２５の周囲に設けられた環状の側壁部２３とを有している。
【００３６】
この固定部材１９の内側中心部には、背表紙１５に取り付けるための複数の弾性片２１が突設されている。これらの弾性片２１の先端には、鈎型の係止部２１ａが設けられている。
【００３７】
また、固定部材１９の側壁部２３における下端部には、側方に突出する底板部２４が設けられている。
【００３８】
更に、固定部材１９の側壁部２３における外周側面２３ａには、図３に示すように、比較的浅い円弧状の留置用凹部２２が複数個、本実施形態では１２個設けられている。
【００３９】
また、固定部材１９の平板部２５には、図４に示すように、側壁部２３における外周側面２３ａより外側に突出する係止用凸部２６が設けられている。
【００４０】
この係止用凸部２６における外周面２６ａには、図５に示すように、断面が略四角形のロック用凹部４１が複数個、本実施形態では１２個設けられている。
【００４１】
固定部材１９の平板部２５における外表面２５ａには、ファイルを識別する識別用表示２８ａ〜２８ｎが設けられている。これらの識別用表示２８ａ〜２８ｎは、固定部材１９の側壁部２３における外周側面２３ａ（図２参照）と略同心の円周２９上に、略等間隔で設けられている。本実施形態では、識別用表示２８ａ〜２８ｎとして、数字１〜１２が用いられているが、記号などを使用することもできる。
【００４２】
これらの識別用表示２８ａ〜２８ｎは、例えばファイル１に１月分の書類が綴じられている場合は１を表示し、１２月分の書類が綴じられている場合は１２を表示するなど、ファイル１の中身に応じて表示を変えることにより、ファイル１を区別できるように設定されている。
【００４３】
回転部材２０は、図２に示すように、一端が開口された円形容器状に形成されている。この回転部材２０は、固定部材１９と略相似形で、固定部材１９より少し大きく形成されている。回転部材２０は、円板状の平板部３０と、この平板部３０の外周側に設けられた環状の側壁部３１とを有している。
【００４４】
回転部材２０は、その開口を固定部材１９の平板部２５側から嵌め込むことにより、固定部材１９に回転自在に取り付けられている。固定部材１９の平板部２５に設けられた識別用表示２８ａ〜２８ｎは、一部を除いて固定部材１９の平板部３０によって覆われている。
【００４５】
すなわち、回転部材２０の平板部３０には、固定部材１９の識別用表示２８ａ〜２８ｎの一つを外部に表示するための表示窓３５が設けられている。この表示窓３５は、図６に示すように、各識別用表示２８ａ〜２８ｎより少し大きい円形に形成されている。回転部材２０の回転に伴って、表示窓３５から識別用表示２８ａ〜２８ｎが順次表示される。
【００４６】
回転部材２０は、図２に示すように、固定部材１９から離間するＹ方向、すなわち、回転部材２０の中心軸線２９ａに沿ってスライド自在に取り付けられている。
【００４７】
回転部材２０の側壁部３１には、図３に示すように、複数のスリット３２が設けられている。これらのスリット３２は、回転部材２０の中心軸線２９ａに沿って延びている。これにより、スリット３２，３２間の側壁部３１が、中心に対して接近又は離間する方向に弾性変形可能に形成されている。
【００４８】
更に、回転部材２０の側壁部３１における内周側面には、固定部材１９の留置用凹部２２に挿入可能な留置用凸部３３が複数個、本実施形態では３個等間隔で設けられている。これらの留置用凸部３３は、固定部材１９の留置用凹部２２より小さい湾曲状に形成されている。
【００４９】
これらの留置用凸部３３が、留置用凹部２２に挿入されると、回転部材２０がその位置に所定の力で留置（保持）される。
【００５０】
また、留置用凸部３３が留置用凹部２２に挿入された状態では、回転部材２０の表示窓３５（図６参照）から、識別用表示２８ａ〜２８ｎの何れか一つが表示される。
【００５１】
すなわち、固定部材１９の留置用凹部２２と、回転部材２０の留置用凸部３３によって、回転部材２０の表示窓３５が固定部材１９の識別用表示２８ａ〜２８ｎの何れか一つの上に配置された状態で、回転部材２０を所定の留置力で留置する留置手段が構成されている。
【００５２】
留置用凸部３３の底面には、図７に示すように、外側から内側に向けて平板部２５側に接近する方向に傾斜する傾斜面３３ａが形成されている。回転部材２０を固定部材１９に嵌め込む際に、留置用凸部３３の傾斜面３３ａが固定部材１９の外周縁によって押圧されて、側壁部３１が外側に弾性変形する。これにより、回転部材２０を固定部材１９に簡単に嵌め込むことができる。
【００５３】
なお、本実施形態では、留置用凸部３３が留置用凹部２２より小数の３個であるが、留置用凸部３３は留置用凹部２２の個数以下であれば任意の数にすることができる。
【００５４】
また、回転部材２０の側壁部３１における内周面には、図８に示すように、複数のロック用凸部４２が設けられている。これらのロック用凸部４２は、平板部３０から所定の高さを有している。
【００５５】
また、ロック用凸部４２は、図９に示すように、固定部材１９のロック用凹部４１と略相似形で、ロック用凹部４１より少し小さく形成されている。
【００５６】
回転部材２０の留置用凸部３３が、固定部材１９の留置用凹部２２に挿入されている状態（図３参照）、すなわち表示窓３５が識別用表示２８ａ〜２８ｎの何れか一つの上に配置され、識別用表示２８ａ〜２８ｎの何れかが外部に表示されている状態（図６参照）で、回転部材２０のロック用凸部４２が、固定部材１９のロック用凹部４１に挿入されている。これにより、回転部材２０の回転がロックされている。
【００５７】
すなわち、固定部材１９のロック用凹部４１と回転部材２０のロック用凸部４２によって、表示窓３５が識別用表示２８ａ〜２８ｎの何れか一つの上に配置されている状態で、回転部材２０の回転をロックするロック手段が構成されている。
【００５８】
図１０に示すように、回転部材２０を固定部材１９から離間するＹ方向に、少なくともロック用凸部４２の高さｈ以上の距離をスライドさせると、図１１に示すように、ロック用凸部４２がロック用凹部４１から抜け出る。これにより、回転部材２０のロックが解除される。
【００５９】
更に回転部材２０をＹ方向にスライドさせると、図１２に示すように、固定部材１９の係止用凸部２６に回転部材２０の留置用凸部３３が係止される。これにより、回転部材２０が固定部材１９から外れるのを防止できる。
【００６０】
すなわち、固定部材１９の係止用凸部２６と回転部材２０の留置用凸部３３によって、回転部材２０が固定部材１９から脱落するのを防止する脱落防止手段が構成されている。留置用凸部３３は、留置手段の構成要素として、且つ脱落防止手段の脱落防止用凸部として兼用されている。
【００６１】
なお、ロック用凹部４１は、留置用凸部３３より小さく形成されているので、ロック用凸部４２がロック用凹部４１から抜け出る際に、留置用凸部３３がロック用凹部４１から抜け出ることはない。
【００６２】
ロック用凸部４２がロック用凹部４１から抜け出て、ロックが解除された状態で、回転部材２０に留置力以上の回転力を加えると、留置用凸部３３を有する側壁部３１が弾性変形して、留置用凸部３３が留置用凹部２２から抜け出る。これにより、回転部材２０を簡単に回転させることができる。
【００６３】
回転部材２０を更に回転させると、回転部材２０の表示窓３５が次の識別用表示２８ａ〜２８ｎ上に配置され、表示窓３５から次の識別用表示２８ａ〜２８ｎが表示された状態で、留置用凸部３３が次の留置用凹部２２に挿入され、回転部材２０が所定の留置力で留置される。
【００６４】
この状態で、回転部材２０を固定部材１９に接近する方向にスライドさせることにより、ロック用凸部４２がロック用凹部４１に挿入され、回転部材２０の回転がロックされる
。
【００６５】
同様の操作を繰り返すことにより、回転部材２０の表示窓３５から必要な識別用表示２８ａ〜２８ｎを表示することができる。
【００６６】
このように、本発明は、回転部材２０の表示窓３５が識別用表示２８ａ〜２８ｎの何れか一つの上に配置され、表示窓３５から識別用表示２８ａ〜２８ｎの何れか一つが表示された状態で、固定部材１９の留置用凹部２２と、回転部材２０の留置用凸部３３によって構成され、所定の留置力を有する留置手段によって回転部材２０が留置される。
【００６７】
また、識別用表示２８ａ〜２８ｎが表示窓３５から表示された状態で、固定部材１９のロック用凹部４１及び回転部材２０のロック用凸部４２によって構成されるロック手段によって、回転部材２０の回転がロックされる。
【００６８】
従って、表示窓３５から表示される識別用表示２８ａ〜２８ｎが、不用意に変わるのを防止できる。
【００６９】
また、表示窓３５から表示される識別用表示２８ａ〜２８ｎを変更する際には、回転部材２０を固定部材１９から離れるＹ方向にスライドさせることにより、ロック手段のロック用凸部４２がロック用凹部４１から抜け出て、ロックが簡単に解除される。
【００７０】
この状態で、回転部材２０に留置力以上の回転力を加えることにより、留置手段の留置用凸部３３が留置用凹部２２から抜け出るので、回転部材２０を簡単に回転させて、別の識別用表示２８ａ〜２８ｎを表示窓３５から表示させることができる。
【００７１】
更に、ロック手段のロックを解除するため、回転部材２０を固定部材１９から離れるＹ方向にスライドさせた際に、固定部材１９の係止用凸部２６と回転部材２０の留置用凸部３３とによって構成される脱落防止手段によって、回転部材２０が固定部材１９から脱落するのを防止できる。
【００７２】
また、脱落防止手段の脱落防止用凸部は、留置用凸部３３と別に設けることもできるが、留置手段の留置用凸部３３が、脱落防止手段の脱落防止用凸部として兼用されているので、構成を簡略化して小型化できる。
【００７３】
このように、小型化することにより、ファイル１にダイヤル式表示具１２を取り付けた際に、ダイヤル式表示具１２のファイル１から突出する高さを低くでき、使用時及び保管時にダイヤル式表示具１２が邪魔になることがない。
【００７４】
更に、ダイヤル式表示具１２の回転部材２０の一部又は全部を、各種の色に着色できる。これにより、回転部材２０の色と、表示窓３５から表示される識別用表示２８ａ〜２８ｎの組み合わせにより、多数のファイル１を区別できる。
【００７５】
また、図１２及び図１３に示すように、固定部材１９の係止用凸部２６に、回転部材２０の留置用凸部３３が通過可能な比較的大きい凹部４５を設けることができる。回転部材２０の留置用凸部３３をこの凹部４５から抜き出すことにより、回転部材２０を固定部材１９から取り外すことができる。
【００７６】
本実施形態では、図１３に示すように、識別用表示２８ａ〜２８ｎの付近で、隣接するロック用凹部４１，４１の間を切り欠くことにより、凹部４５が設けられている。なお凹部４５は、識別用表示２８ａ〜２８ｎの中間に設けることもできる。
【００７７】
また、このダイヤル式表示具１２を用いたファイル１は、ダイヤル式表示具１２によって表示される識別用表示２８ａ〜２８ｎを変えることにより、他のファイルと区別できる。
【００７８】
また、ダイヤル式表示具１２は、弾性片２１の弾性復元力によってファイル１に取り付けられるので、弾性片２１を弾性変形させることにより簡単に着脱できる。
【００７９】
また、ダイヤル式表示具１２は、ファイル１の背表紙１５に限らず、ファイル１の表表紙１３又は裏表紙１４に直接取り付け、或いは背表紙１５，表表紙１３又は裏表紙１４に見出し状のベース板（図示せず）を設け、このベース板に取り付けることができる。
【００８０】
また、上記実施形態では、開閉式のファイル１にダイヤル式表示具１２を設けた場合について説明したが、図１４に示すように、ボックスファイル５０などにダイヤル式表示具１２を設けることもできる。
【図面の簡単な説明】
【００８１】
【図１】本発明に係るダイヤル式表示具を用いたファイルを示す斜視図である。
【図２】本発明に係るダイヤル式表示具を示す断面図であり、図１のＡ−Ａ断面図である。
【図３】本発明に係るダイヤル式表示具の留置用凹部及び留置用凸部を示す図であり、図２のＢ−Ｂ断面図である。
【図４】本発明に係る脱落防止手段の係止用凸部を示す断面図である。
【図５】本発明に係る識別用表示及びロック用凹部を示す図であり、図４のＣ−Ｃ断面図である。
【図６】本発明に表示窓を示す図であり、図２のＤ矢視図である。
【図７】本発明に係る留置用凸部を示す断面図である。
【図８】本発明に係るロック用凸部とロック用凹部を示す断面図である。
【図９】本発明に係るロック用凸部がロック用凹部に挿入されている状態を示す断面であり、図８のＥ−Ｅ断面図である。
【図１０】本発明に係る回転部材を固定部材から離れる方向にスライドさせた状態を示す断面図である。
【図１１】本発明に係るロック用凸部４２がロック用凹部４１から抜け出てロックが解除された状態を示す断面図である。
【図１２】本発明に係る脱落防止用凸部を兼用する留置用凸部が係止用凸部に係止され、回転部材の脱落が防止されている状態を示す断面図である。
【図１３】本発明に係る留置用凸部を通過させる凹部を示す図であり、図１２のＦ−Ｆ断面図である。
【図１４】本発明に係るダイヤル表示具を設けたファイルボックスを示す斜視図である。
【図１５】従来例に係るダイヤル式表示具を示す斜視図である
【図１６】別の従来例に係るダイヤル式表示具を示す斜視図である。
【符号の説明】
【００８２】
１  ファイル
１１  ファイル本体
１２  ダイヤル式表示具
１３  表表紙
１４  裏表紙
１５  背表紙
１６  綴じ具
１９  固定部材
２０  回転部材
２１  弾性片
２１ａ  係止部
２２  留置用凹部
２３  固定部材の側壁部
２３ａ  側壁部の外周側面
２４  底板部
２５  平板部
２５ａ  平板部の外表面
２６  係止用凸部
２６ａ  係止用凸部の外周面
２８ａ〜２８ｎ  識別用表示
２９  円周
２９ａ  回転部材の中心軸線
３０  回転部材の平板部
３１  回転部材の側壁部
３１ａ  側壁部の内周面
３２  スリット
３３  留置用凸部（脱落防止用凸部）
３３ａ  留置用凸部の傾斜面
３５  表示窓
４１  ロック用凹部
４２  ロック用凸部
４５  留置用凸部の通過用凹部
５０  ボックスファイル
１００  フォルダー
１０１ａ  表表紙
１０１ｂ  裏表紙
１０２  タブ
１０５  表示窓
１０６  鋲
１０７  円板
１１０  表紙本体
１１１  背表紙
１１２  裏表紙
１１３  表表紙
１１４  切り欠き
１１５  窓
１１６  表示板
１１７  軸
１２４  カバー
１６１  表示部
【図１】
2008096711.tif 000003
【図２】
2008096711.tif 000004
【図３】
2008096711.tif 000005
【図４】
2008096711.tif 000006
【図５】
2008096711.tif 000007
【図６】
2008096711.tif 000008
【図７】
2008096711.tif 000009
【図８】
2008096711.tif 000010
【図９】
2008096711.tif 000011
【図１０】
2008096711.tif 000012
【図１１】
2008096711.tif 000013
【図１２】
2008096711.tif 000014
【図１３】
2008096711.tif 000015
【図１４】
2008096711.tif 000016
【図１５】
2008096711.tif 000017
【図１６】
2008096711.tif 000018